(57)【特許請求の範囲】
【請求項１】
中空に浮くように設置された歩廊に取り付けられる固定部材と、
前記固定部材に固定された２つの支持部材と、
前記支持部材にそれぞれ挿入された昇降可能な第１の支柱、及び、それぞれの前記第１の支柱の側面から突出する係止部材を有する柵と、を備え、
それぞれの前記第１の支柱同士が平行に配置されるとともに、横材を介して連結しており、
それぞれの前記支持部材には前記係止部材が通る案内溝が対称に形成されており、
前記案内溝は、折り返し部を有するとともに、一端が開口し他端が閉口しており、
前記柵の上昇に付随し、前記係止部材が前記案内溝の開口箇所から進入して、前記折り返し部で折り返した後、前記案内溝の閉口箇所で係止され、前記柵が前記支持部材から上方に突出した状態で固定される、
ことを特徴とする昇降柵。
【請求項２】
中空に浮くように設置された歩廊に取り付けられる固定部材と、
前記固定部材に固定された支持部材と、
前記支持部材に挿入された昇降可能な第１の支柱、及び、前記第１の支柱の側面から突出する係止部材を有する柵と、を備え、
前記柵は、前記第１の支柱に隣接して並行に延びる第２の支柱を備え、前記第１の支柱と前記第２の支柱とが前記係止部材で連結されており、
前記支持部材には前記係止部材が通る案内溝が形成されており、
前記案内溝は、折り返し部を有するとともに、一端が開口し他端が閉口しており、
前記柵の上昇に付随し、前記係止部材が前記案内溝の開口箇所から進入して、前記折り返し部で折り返した後、前記案内溝の閉口箇所で係止され、前記柵が前記支持部材から上方に突出した状態で固定される、
ことを特徴とする昇降柵。
【請求項３】
前記柵は、前記第１の支柱と前記第２の支柱の上部をつなぐ上横材を備え、
前記柵が下降した際に、前記上横材が前記支持部材の上端に当接し、前記柵の下降を規制する、
ことを特徴とする請求項２に記載の昇降柵。
【発明の詳細な説明】
【技術分野】
【０００１】
本発明は、昇降柵に関する。
【背景技術】
【０００２】
電力会社では、緊急用発電設備としてエンクロージャー式等の発電装置を用意している。この発電装置は、長尺な筺状のケーシング内部に発電機器が備えられている。ケーシングには、内部の発電装置の点検等のために複数の扉が設置されている。扉は地上から高い箇所に位置していることから、ケーシングに沿って点検用の歩廊が中空に浮くように配置される。
【０００３】
ケーシング内部には発電装置が詰まっており、人が入れるほどの隙間がないため、作業者はケーシングの中に入って発電装置の点検を行うことは難しい。このため、歩廊を足場にし、扉を開けた状態で、ケーシング内部の発電装置の点検を行うことになる。歩廊には柵が設置されていないこと、そして、歩廊の幅が狭いことから、点検中の作業者には転落の危険性が伴う。このため、作業者が転落しないよう、歩廊に設置する柵が望まれている。
【０００４】
しかしながら、扉が開き戸で、扉の幅が歩廊の幅よりも大きい場合、柵を歩廊に固定してしまうと、扉が柵に干渉して開閉できない。その結果、筺体内部の発電装置の点検ができなくなってしまう。このため、扉の開閉の際に扉に干渉しない可動式の柵が望まれている。可動式の柵として、例えば、特許文献１、２等の柵がある。
【先行技術文献】
【特許文献】
【０００５】
【特許文献１】特開２００１−２００５１２号公報
【特許文献２】特開昭６２−２９５７６８号公報
【発明の概要】
【発明が解決しようとする課題】
【０００６】
特許文献１、２等の可動式の柵は、構造が複雑であることから、中空に浮かぶように設置された歩廊に設置することが困難であるとともに、コストが高くなってしまう。
【０００７】
本発明は、上記事項に鑑みてなされたものであり、その目的とするところは、簡易な構成で中空に浮くように設置された歩廊にも設置可能な昇降柵を提供することにある。
【課題を解決するための手段】
【０００８】
本発明の第１の観点に係る昇降柵は、
中空に浮くように設置された歩廊に取り付けられる固定部材と、
前記固定部材に固定された２つの支持部材と、
前記支持部材にそれぞれ挿入された昇降可能な第１の支柱、及び、それぞれの前記第１の支柱の側面から突出する係止部材を有する柵と、を備え、
それぞれの前記第１の支柱同士が平行に配置されるとともに、横材を介して連結しており、
それぞれの前記支持部材には前記係止部材が通る案内溝が対称に形成されており、
前記案内溝は、折り返し部を有するとともに、一端が開口し他端が閉口しており、
前記柵の上昇に付随し、前記係止部材が前記案内溝の開口箇所から進入して、前記折り返し部で折り返した後、前記案内溝の閉口箇所で係止され、前記柵が前記支持部材から上方に突出した状態で固定される、
ことを特徴とする。
【０００９】
本発明の第２の観点に係る昇降柵は、
中空に浮くように設置された歩廊に取り付けられる固定部材と、
前記固定部材に固定された支持部材と、
前記支持部材に挿入された昇降可能な第１の支柱、及び、前記第１の支柱の側面から突出する係止部材を有する柵と、を備え、
前記柵は、前記第１の支柱に隣接して並行に延びる第２の支柱を備え、前記第１の支柱と前記第２の支柱とが前記係止部材で連結されており、
前記支持部材には前記係止部材が通る案内溝が形成されており、
前記案内溝は、折り返し部を有するとともに、一端が開口し他端が閉口しており、
前記柵の上昇に付随し、前記係止部材が前記案内溝の開口箇所から進入して、前記折り返し部で折り返した後、前記案内溝の閉口箇所で係止され、前記柵が前記支持部材から上方に突出した状態で固定される、
ことを特徴とする。
【００１０】
また、前記柵は、前記第１の支柱と前記第２の支柱の上部をつなぐ上横材を備え、
前記柵が下降した際に、前記上横材が前記支持部材の上端に当接し、前記柵の下降を規制することが好ましい。
【発明の効果】
【００１１】
本発明に係る昇降柵は、簡易な構成で中空に浮くように設置された歩廊にも設置可能である。
【図面の簡単な説明】
【００１２】
【図１】図１（Ａ）は昇降柵の正面図、図１（Ｂ）は昇降柵の側面図である。
【図２】昇降柵の可動を説明する図であり、柵が下降した状態を示す正面図（図２（Ａ））、側面図（図２（Ｂ））である。
【図３】昇降柵の可動を説明する図であり、柵が上昇している状態を示す正面図（図３（Ａ））、側面図（図３（Ｂ））である。
【図４】昇降柵の可動を説明する図であり、柵が上死点まで上昇し、係止部材が折り返している状態を示す正面図（図４（Ａ））、側面図（図４（Ｂ））である。
【図５】昇降柵の可動を説明する図であり、柵が固定された状態を示す正面図（図５（Ａ））、側面図（図５（Ｂ））である。
【図６】歩廊に昇降柵が設置された状態を示す平面図である。
【図７】歩廊に昇降柵が設置された状態を示す側面図である。
【図８】他の形態に係る昇降柵の正面図である。
【図９】図９（Ａ）、（Ｂ）は他の形態に係る昇降柵の側面図である。
【発明を実施するための形態】
【００１３】
図を参照しつつ、本実施の形態に係る昇降柵について説明する。昇降柵１は、図１（Ａ）、図１（Ｂ）に示すように、柵１０と支持部材２０と固定部材３０とを備える。
【００１４】
柵１０は、第１の支柱１１、第２の支柱１２、縦材１３、上横材１４ａ、下横材１４ｂ、係止部材１５を備えている。
【００１５】
第１の支柱１１は、昇降自在に支持部材２０に差し込まれる部材である。第１の支柱１１と第２の支柱１２とは、隣接して並行に配置されている。第１の支柱１１の側面から第２の支柱１２に向けて、棒状の係止部材１５が突出しており、第１の支柱１１と第２の支柱１２とは下部で係止部材１５により連結されている。また、係止部材１５は、第１の支柱１１から第２の支柱１２の逆方向にも突出している。
【００１６】
第１の支柱１１、第２の支柱１２及び係止部材１５は、両側に対称に２組配置されている。
【００１７】
第２の支柱１２同士の間には、縦材１３が２本配置されており、上下に配置された上横材１４ａ、下横材１４ｂで連結されており、柵１０は一体的に形成されている。なお、縦材１３はより多くあっても少なくてもよい。また、第２の支柱１２同士の間に、更に横材が配置されていてもよい。
【００１８】
支持部材２０は、第１の支柱１１が昇降可能に挿入される筒状の部材である。支持部材２０の奥行き（図１（Ｂ）のＤ１）は、例えば、柵１０の第１の支柱１１の径（図１（Ｂ）のＤ２）の２倍程度である。また、支持部材２０には、案内溝２１が形成されている。案内溝２１は、図１（Ｂ）に示すように、逆Ｊ字状であり、支持部材２０の下部が開口し、そこから支持部材２０の長手方向に略垂直に延びて折り返した後、閉じられた溝である。案内溝２１は、柵１０の上昇、下降において、柵１０の係止部材１５が進入するとともに、係止部材１５を係止する役割を有する。案内溝２１は、支持部材２０の第１の支柱１１と第２の支柱１２で挟まれる側面及び反対側の側面に対称に形成されており、第１の支柱１１の両側から突出する係止部材１５の双方がそれぞれの案内溝２１に進入する。
【００１９】
固定部材３０は、中空に浮くように設定されたグレーチング等の歩廊に取り付けられ、支持部材２０を支持する部材である。固定部材３０は、歩廊に取り付けられ、支持部材２０を支持可能であれば、どのような形態であってもよい。ここでは、固定部材３０は、取付部３１と締結具３２を有しており、歩廊を取付部３１及び締結具３２で狭持する形態である。
【００２０】
また、固定部材３０の上端と支持部材２０の上端との長さ（図１（Ｂ）のＤ３）は、上横材１４ａの径（図１（Ｂ）のＤ４）よりも長く設定される。
【００２１】
続いて、図２〜図５を参照して、昇降柵１の動作について説明する。図２は、柵１０が下降して係止している状態を示している。この状態では、柵１０の上横柱１４ａが支持部材２０の上端に当接しており、柵１０はこれ以上下降しない。
【００２２】
図２の状態から、柵１０を引き上げていくと、図３に示すように、係止部材１５が支持部材２０の案内溝２１の開口箇所から進入し、通過してゆく。
【００２３】
係止部材１５が案内溝２１の折り返し部まで達した後、図４に示すように、柵１０の上部を、図４（Ｂ）における紙面上、左方向（固定部材３０の反対方向）に力を加えることで、係止部材１５が固定部材３０側へ移動し、案内溝２１の折り返し部２２で折り返される。
【００２４】
そして、案内溝２１の折り返し部２２で係止部材１５が折り返された後、柵１０を下降させると、図５に示すように、係止部材１５が案内溝２１の閉口箇所で係止される。これにより、柵１０が支持部材２０、固定部材３０から上方へ突出した状態で固定される。
【００２５】
柵１０を下降させる場合、上記と逆の手順で行うことで、図２に示す元の状態（柵が下降した状態）にすることができる。
【００２６】
図６、図７に、扉ＤＲを有するケーシングＣＡに沿って設置された歩廊ＳＴに、昇降柵１が設置された状態を示している。なお、ここでは、緊急用の発電装置を内部に備えるケーシングＣＡに沿って設置された歩廊ＳＴに昇降柵１が設置された例を示している。
【００２７】
柵１０が下降した状態で扉ＤＲを開き、扉ＤＲを開いた状態で柵１０を上昇させて固定し、扉ＤＲを開いた状態で、作業者は歩廊ＳＴに立ったまま、ケーシングＣＡ内部の発電装置を点検する。柵１０が上昇しているので、歩廊ＳＴに立って点検等を行う作業者は、柵１０によって転落することを免れ、安心して点検作業を行うことができる。
【００２８】
そして、昇降柵１は簡易な構成であり、柵１０の昇降を容易に行い得るので、扉ＤＲの開閉の都度、作業者は柵１０を昇降させるのに手間や負担が掛からない。
【００２９】
また、柵１０を下降させた状態において、柵１０の上横材１４ａが固定部材３０の上方へ突出しないので、扉ＤＲを開閉する際に、扉ＤＲが柵１０に干渉しない。
【００３０】
また、ケーシングＣＡに複数の扉ＤＲが隣接して配置されている場合、柵１０の幅は、扉ＤＲが開いた状態で扉ＤＲ同士の幅よりも狭く設定されている。昇降柵１０同士で開いた扉ＤＲを挟むようになることから、開いている扉ＤＲが不意に閉じて、作業者が扉ＤＲに挟まれることも抑えられる。
【００３１】
なお、図８に示すように、柵１０には、柵１０を昇降させる際に持つ取っ手１６が設置されていてもよい。ここでは、上横材１４ａに取っ手１６が設置された例を示している。
【００３２】
また、図８に示すように、係止部材１５で第１の支柱１１と第２の支柱１２とが連結されていなくてもよい。この場合、柵１０が歪まないよう、柵１０は十分な機械的強度を有する素材から構成されることが好ましい。
【００３３】
また、図８に示すように、係止部材１５が第１の支柱１１の両側からではなく、一方向のみ突出した形態であってもよい。この場合、第１の支柱１１から係止部材１５が突出していない側に位置する支持部材２０の側面には、案内溝２１が形成されていなくてもよい。
【００３４】
また、柵１０を引き上げた後、柵１０の上部を固定部材３０側へ係止部材１５が案内溝２１の折り返し部２２で折り返される形態について説明したが、図９（Ａ）に示すように、案内溝２１が上記とは水平方向に逆向きに形成されており、固定部材３０側に力を加え、係止部材１５が固定部材３０の逆方向へ移動し、案内溝２１の折り返し部２２で折り返される形態であってもよい。
【００３５】
更には、図９（Ｂ）に示すように、案内溝２１が略Ｔ字状に形成されており、係止部材１５が固定部材３０の方向、及び、固定部材３０の逆方向へ、どちらへも移動可能な形態であってもよい。
【符号の説明】
【００３６】
１      昇降柵
１０    柵
１１    第１の支柱
１２    第２の支柱
１３    縦材
１４ａ  上横材
１４ｂ  下横材
１５    係止部材
１６    取っ手
２０    支持部材
２１    案内溝
２２    折り返し部
３０    固定部材
３１    取付部
３２    締結具
ＳＴ    歩廊
ＣＡ    ケーシング
ＤＲ    扉
【図１】
0006646986.tif 000002
【図２】
0006646986.tif 000003
【図３】
0006646986.tif 000004
【図４】
0006646986.tif 000005
【図５】
0006646986.tif 000006
【図６】
0006646986.tif 000007
【図７】
0006646986.tif 000008
【図８】
0006646986.tif 000009
【図９】
0006646986.tif 000010